(57)【要約】【課題】外部記憶媒体に記憶されている自動調理のデータを、内部記憶手段に容易且つ確実に書き込むことができる加熱調理器を提供する。【解決手段】メモリカード１５の装着状態を検出し、この状態に応じて操作パネル部４における操作キー群５の機能を切り替え、操作パネル部４の操作キー群５の操作に応じて、内部メモリ１９に記憶された加熱調理の加熱条件データに基づく加熱調理、またはメモリカード１５から内部メモリ１９へのデータコピーを実行する。【選択図】図１
2008180415.tif 000002
【特許請求の範囲】
【請求項１】
被加熱物を収容する加熱室と、
前記加熱室に収容された被加熱物を加熱する加熱手段と、
前記加熱手段を制御して加熱調理を実行する制御手段と、
複数の操作キーと表示手段とを有する操作パネル部と、
データの書き換えが可能であって自動調理のデータを記憶する内部記憶手段と、
自動調理のデータを記憶する外部記憶媒体を着脱可能に装着する外部記憶媒体装着手段と、
前記外部記憶媒体に記憶されているデータを前記内部記憶手段にコピーするコピー手段と、
前記外部記憶媒体の装着状態を検出する装着状態検出手段とを備え、
前記制御手段は、前記操作パネル部の操作キーの操作により自動調理の開始が指令されると前記内部記憶手段に記憶されている自動調理のデータに基づいて加熱運転を実行するように構成され、前記操作パネル部の操作キーの操作により自動調理のデータのコピー開始が指令されると前記コピー手段により前記外部記憶媒体に記憶されているデータが前記内部記憶手段にコピーされるように構成され、
前記装着状態検出手段により検出された前記外部記憶媒体の装着状態に応じて前記操作パネル部の複数の操作キーの機能が切り替わるように構成されていることを特徴とする加熱調理器。
【請求項２】
制御手段は、装着状態検出手段により外部記憶媒体が装着されたことが検出されたときには、加熱手段による加熱を禁止するように構成されていることを特徴とする請求項１記載の加熱調理器。
【請求項３】
制御手段は、加熱調理実行中に装着状態検出手段により外部記憶媒体が装着されたことが検出されたときには、当該加熱調理が終了するまで加熱調理を続けた後、加熱手段による加熱を禁止するように構成されていることを特徴とする請求項１または２記載の加熱調理器。
【請求項４】
装着状態検出手段により外部記憶媒体が装着されたことが検出されたときに、前記外部記憶媒体が装着中であることを識別する装着識別表示が前記表示手段に表示されるように構成されていることを特徴とする請求項１ないし３の何れかに記載の加熱調理器。
【請求項５】
装着状態検出手段により外部記憶媒体が装着されたことが検出されたときに、前記外部記憶媒体に記憶されているデータの種類を識別するデータ識別表示が表示手段に表示されるように構成されていることを特徴とする請求項４記載の加熱調理器。
【請求項６】
データ識別表示は、制御手段に対してデータのコピー開始を指令する操作キーの操作内容を示していることを特徴とする請求項５記載の加熱調理器。
【発明の詳細な説明】
【技術分野】
【０００１】
本発明は、食品の例えば加熱時間などの調理に関する調理データが記憶されている外部記憶媒体を着脱可能に構成された加熱調理器に関する。
【背景技術】
【０００２】
加熱調理器には、メモリ機能を備え、頻繁に加熱を行う食品の調理データを記憶するようにしたものがある（例えば特許文献１〜３参照）。このものによれば、使用者は加熱を行うたびに加熱出力や加熱時間などを設定する必要が無くなり簡単に調理を実行できる。このような加熱調理器は、コンビニエンスストアやファーストフード店等にも設置されており、顧客が購入したお弁当等をその場で加熱するサービスが行われている。そして、お弁当等の商品は新商品の開発サイクルが短いことから入れ換えが頻繁に行われるので、加熱調理器もこのような事情に対応したものが必要とされている。
【０００３】
そこで、加熱する食品の調理データをメモリカード等の外部記憶媒体に書き込み、そのメモリカードから調理データを読み込んで加熱調理を行うことが考案されている（例えば特許文献２、３参照）。これにより、商品の入れ換えに迅速に対応することが可能となる。しかし、加熱調理を実行する度にメモリカードから調理データを読み込むため、加熱調理器１台につき１つのメモリカードが必要になる。従って、商品の入れ換えに伴い調理データを変更する際には加熱調理器の台数分ものメモリカードを用意しなければならない。
【特許文献１】特開２００４−１１６９８４号公報
【特許文献２】特開平８−２４１７８９号公報
【特許文献３】特開平１０−１３２２８６号公報
【発明の開示】
【発明が解決しようとする課題】
【０００４】
特許文献１には、メモリカードから調理データを読み込み、その調理データに基づいて加熱調理を実行するとともに、読み込んだ調理データを内部メモリ（内部記憶手段）に書き込むことを可能にした電子レンジが開示されている。このような構成によれば、調理データを変更する必要がある電子レンジの台数が多い場合であっても、１つのメモリカードを準備するだけで全ての電子レンジの調理データを変更できる。
【０００５】
しかしながら、特許文献１の構成は、メモリカードを電子レンジ本体に接続した状態において、使用者が、複数ある操作キーの中から所定の操作キーを選択的に操作することにより調理データを内部メモリへ書き込むようになっている。このため、使用者が誤って異なる機能を有する別の操作キーを操作してしまったときには、調理データの書き込みを実行できないだけでなく、内部メモリに記憶された古い商品の調理データに基づいて加熱調理が実行されてしまうおそれがあった。
【０００６】
本発明は上記事情に鑑みてなされたものであり、その目的は、外部記憶媒体に記憶されている自動調理のデータを、内部記憶手段に容易且つ確実に書き込むことができる加熱調理器を提供することにある。
【課題を解決するための手段】
【０００７】
上記した目的を達成するために、本発明の加熱調理器は、被加熱物を収容する加熱室と、前記加熱室に収容された被加熱物を加熱する加熱手段と、前記加熱手段を制御して加熱調理を実行する制御手段と、複数の操作キーと表示手段とを有する操作パネル部と、データの書き換えが可能であって自動調理のデータを記憶する内部記憶手段と、自動調理のデータを記憶する外部記憶媒体を着脱可能に装着する外部記憶媒体装着手段と、前記外部記憶媒体に記憶されているデータを前記内部記憶手段にコピーするコピー手段と、前記外部記憶媒体の装着状態を検出する装着状態検出手段とを備え、前記制御手段は、前記操作パネル部の操作キーの操作により自動調理の開始が指令されると前記内部記憶手段に記憶されている自動調理のデータに基づいて加熱運転を実行するように構成され、前記操作パネル部の操作キーの操作により自動調理のデータのコピー開始が指令されると前記コピー手段により前記外部記憶媒体に記憶されているデータが前記内部記憶手段にコピーされるように構成され、前記装着状態検出手段により検出された前記外部記憶媒体の装着状態に応じて前記操作パネル部の複数の操作キーの機能が切り替わるように構成されていることを特徴とする。
【発明の効果】
【０００８】
本発明によれば、外部記憶媒体の装着状態に応じて操作パネル部の複数の操作キーの機能が切り替わるので、外部記憶媒体に記憶されている自動調理のデータを、内部記憶手段に容易且つ確実に書き込むことができる。
【発明を実施するための最良の形態】
【０００９】
以下、本発明の一実施例について図面を参照しながら説明する。
図１は、加熱調理器である例えば熱風加熱機能を備えた電子レンジ１の正面図である。電子レンジ１の外郭としてのキャビネット２の前面には、前方に回動して開く扉３が取り付けられている。キャビネット２の正面上部には操作パネル部４が配設されており、この操作パネル部４は、加熱調理の条件などを設定するための操作キー群５（複数の操作キーに相当）および設定内容や調理の経過状況を表示する例えば液晶方式の表示器６（表示手段に相当）を有している。
【００１０】
操作キー群５は、時間設定キーやメモリ番号キーなどとして機能する数字キー７、メニュー切換キー８、メモリキー９、手動キー１０、２倍キー１１、３倍キー１２、スタートキー１３および取消キー１４を有し、数字キー７は、テンキーすなわち［０］〜［９］キーを有するものである。これら操作キー群５の各キーのそれぞれに対応してタッチスイッチが設けられている。
【００１１】
キャビネット２の前面側で扉３の下方には、メモリカード１５（外部記憶媒体に相当）を装着するためのカードスロット１６（外部記憶媒体装着手段に相当）が中央から外れた部位（本実施例では正面から見て右寄り）に配設されている。カードスロット１６の奥側には配線基板（図５に符号１７を付して示す）が配設されており、配線基板１７には制御装置（図４に符号１８を付して示す）や内部メモリ（図４に符号１９を付して示す）などを構成する多種の電子部品が実装されている。
【００１２】
図２および図３は、電子レンジ１の縦断正面図および縦断側面図である。キャビネット２内の中央部には、扉３側が開口した四角い箱状の加熱室２０が配設されている。加熱室２０は、後述する底板部分を除きマイクロ波を遮断する導電性材料で構成されている。加熱室２０の上には、ヒータ２１を収納する熱源箱２２が取り付けられており、その後方には熱源箱２２に循環風を送り込む送風ファン２３（具体的にはブロワ）およびこれを駆動する送風ファンモータ２４が取り付けられている。本実施例では、ヒータ２１、熱源箱２２、送風ファン２３、送風ファンモータ２４により熱風生成装置２５（加熱手段に相当）が構成されている。
【００１３】
加熱室２０の扉３側から見た右側壁の外側には加熱室２０を通過した循環風を熱風生成装置２５に帰還させるための熱風帰還ダクト右２６が、左側壁の外側には同じ目的の熱風帰還ダクト左２７が設けられている。加熱室２０の背面外側の上部で送風ファン２３の下側には、熱風帰還ダクト右２６と熱風帰還ダクト左２７を通過した熱風を合流させて送風ファン２３に帰還させる熱風帰還合流ダクト２８が取り付けられている。
【００１４】
加熱室２０の背面外側で熱風帰還合流ダクト２８の下側には、マイクロ波発生装置、例えばマグネトロン２９（加熱手段に相当）が配設されている。加熱室２０の下側には、マグネトロン２９で発生したマイクロ波を加熱室２０の底板裏の中央付近に導く導波管３０が取り付けられている。
【００１５】
図２および図３における矢印は、電子レンジ１内の熱風の流れを模式的に表わしたものである。送風ファン２３により生成された風は、加熱室２０の上部に取り付けられた熱源箱２２内に水平に吹き込まれる。吹き込まれた風は、熱源箱２２内に取り付けられたヒータ２１と熱交換して熱風となり、加熱室２０の天井板３１の上側空間に回り込む。加熱室２０の天井板３１には、熱源箱２２内で加熱された熱風を加熱室２０内に噴射するための孔３２が複数個設けられている。送風ファン２３により生成され加熱室２０の天井板３１の上側空間に回り込んだ熱風は風圧の強い流れであり、その孔３２から高速噴流となって加熱室２０内に噴射される。
【００１６】
加熱室２０内には、空間の下寄り部分に被加熱物である調理品３３を載せる棚板３４が水平に取り付けられている。孔３２から噴射された高速の熱風は調理品３３に吹き当たり、保有する熱エネルギーを与えて調理品３３を加熱する。調理品３３に熱風を吹き当てて加熱する場合、吹き当てる風を高速にすると熱伝達率が大きく向上することが噴流衝突熱伝達技術として知られている。本実施例の電子レンジ１はこの噴流衝突熱伝達技術を応用している。
【００１７】
棚板３４には、表裏を貫く孔３５が多数設けられている。調理品３３に吹き当たった熱風はその孔３５を通って棚板３４の下側空間に流れ込む。加熱室２０の右側壁には棚板３４の取り付け位置より下部分に熱風吸い込み口右３６が、左側壁の対応する位置には熱風吸い込み口左３７が設けられている。棚板３４の下側空間に流れ込んだ熱風は、それらの吸い込み口３６、３７を通り、加熱室２０の左右側壁の外側に設けてある左右の熱風帰還ダクト２６、２７に流れ込む。
【００１８】
熱風帰還ダクト右２６および熱風帰還ダクト左２７は、ともに送風ファン２３の下側の熱風帰還合流ダクト２８に連通している。左右の熱風帰還ダクト２６、２７に流れ込んだ熱風は、それらのダクト２６、２７内を上昇して熱風帰還合流ダクト２８内に流れ込み合流する。熱風帰還合流ダクト２８は送風ファン２３に連通しており、合流した熱風は送風ファン２３内に吸い込まれる。そして、再び送風ファン２３よって加速され、風圧を増して熱源箱２２内に吹き込まれる。熱風は、このようにして電子レンジ１内を循環しながら調理品３３を表面から加熱する。
【００１９】
本実施例の電子レンジ１は、調理品３３を熱風により表面から加熱することに加え、マイクロ波加熱を併用して内部からも加熱する。マイクロ波は加熱室２０の背面外側下部に配置されたマグネトロン２９で発生し、加熱室２０の下側の導波管３０を通って加熱室２０の底板３８裏の中央付近に導かれる（図４参照）。加熱室２０の底板３８はマイクロ波を通し易いセラミックス、ガラス等の誘電体材料で製作されている。底板３８の下面側には、スタラファンモータ３９により回転駆動されるスタラファン４０が取り付けられている。マイクロ波はスタラファン４０により反射攪拌され底板３８を透過する。こうして、加熱室２０内にはマイクロ波が広くむらなく照射される。調理品３３は、そのマイクロ波を吸収して内部からも加熱される。
【００２０】
図４は、上記した電子レンジ１の電気的構成を示している。制御装置１８（制御手段に相当）は、ＣＰＵ、ＲＯＭ、ＲＡＭなどを有してなるマイクロコンピュータ（図５に符号４１を付して示す）および各種駆動回路を含んで構成されており、制御プログラムを実行し、操作キー群５から与えられる操作検出信号やサーミスタ４２から与えられる温度検出信号に基づいて、表示器６、マグネトロン２９、ヒータ２１、送風ファンモータ２４、冷却ファンモータ４３およびスタラファンモータ３９の動作を制御する。
【００２１】
内部メモリ１９（内部記憶手段に相当）およびメモリカード１５には、加熱する食品の種類に応じた加熱時間や加熱出力レベルなどの加熱調理の加熱条件データ（調理データ、すなわち自動調理のデータに相当）が複数記憶されている。制御装置１８は、内部メモリ１９から読み出した加熱条件データにしたがって調理品３３の加熱調理を行うようになっている。
【００２２】
また、制御装置１８は、メモリカード１５内のデータを内部メモリ１９にコピーするコピー手段としても機能する。すなわち、制御装置１８は、詳細は後述するがメモリカード１５に記憶された加熱条件データを読み出すとともに、その読み出したデータを内部メモリ１９に書き込むことにより、内部メモリ１９の加熱条件データをメモリカード１５の加熱条件データで書き換える（更新する）ことが可能になっている。なお、メモリカード１５に加熱条件データを記憶させる（書き込む）方法としては、例えばパソコンに接続された書き込みツール（リーダライタなど）を使用する方法がある。
【００２３】
図５は、制御装置１８のデータ読み込み手段に係る部分およびメモリカード１５の電気的構成を示している。メモリカード１５は、例えばＥＥＰＲＯＭなどの不揮発性メモリ４４、および外部端子４５ａ〜４５ｆを有している。不揮発性メモリ４４において、電源端子は外部端子４５ａ、４５ｂに共通に接続され、グランド端子は外部端子４５ｅ、４５ｆに共通に接続されている。また、不揮発性メモリ４４は、シリアル通信（本実施例ではＩ２Ｃ）によりデータの読み出しおよび書き込みが可能となっており、そのためのＳＤＡ端子およびＳＣＫ端子は、それぞれ外部端子４５ｃおよび４５ｄに接続されている。
【００２４】
一方、制御装置１８を構成するマイクロコンピュータ４１および内部メモリ１９は、外部端子４６ａ〜４６ｆを有する配線基板１７に実装されている。これら外部端子４６ａ〜４６ｆは、メモリカード１５がカードスロット１６に装着された状態（以下、カード装着状態と称す）において、メモリカード１５の外部端子４５ａ〜４５ｆとそれぞれ電気的に接続されるようになっている。
【００２５】
マイクロコンピュータ４１において、ＣＨ１端子が外部端子４６ｂに接続されるとともに抵抗４７を介して外部端子４６ｆに接続され、ＣＨ２端子が外部端子４６ｅに接続されるとともに抵抗４８を介して外部端子４６ａに接続されている。また、ＳＤＡ端子およびＳＣＫ端子は、外部端子４６ｃおよび４６ｄに接続されている。
【００２６】
一方、内部メモリ１９は、上記不揮発性メモリ４４と同様、例えばＥＥＰＲＯＭから構成され、同方式のシリアル通信によりデータの読み出しおよび書き込みが可能となっており、そのためのＳＤＡ端子およびＳＣＫ端子はマイクロコンピュータ４１のＳＤＡ２端子およびＳＣＫ２端子に接続されている。
【００２７】
マイクロコンピュータ４１は、シリアル通信（本実施例ではＩ２Ｃ）により不揮発性メモリ４４および内部メモリ１９内のデータの読み出しおよび書き込みを制御するようになっている。なお、上記シリアル通信に使用されるマイクロコンピュータ４１のＳＤＡ端子、ＳＣＫ端子、ＳＤＡ２端子およびＳＣＫ２端子は、何れも内部でプルアップされている。また、マイクロコンピュータ４１および内部メモリ１９は、何れも図示しない電源端子およびグランド端子を有しており、これら各端子から電源Ｖｃｃの供給を受けて動作するようになっている。
【００２８】
配線基板１７の外部端子４６ａおよび４６ｆは、電源ＶｃｃおよびグランドＧＮＤに接続されている。これにより、マイクロコンピュータ４１のＣＨ１端子には、メモリカード１５がカードスロット１６に装着されていない状態（以下、カード非装着状態と称す）ではグランド電位（Ｌレベル）の信号が与えられ、カード装着状態ではＶｃｃ電位（Ｈレベル）の信号が与えられる。また、マイクロコンピュータ４１のＣＨ２端子には、カード非装着状態ではＨレベルの信号が与えられ、カード装着状態ではＬレベルの信号が与えられるようになっている。従って、マイクロコンピュータ４１は、ＣＨ１端子およびＣＨ２端子に与えられる信号レベルに基づいて、メモリカード１５が装着されているか否かを検出するようになっている。上記構成により、制御装置１８は、メモリカード１５の装着状態を検出する装着状態検出手段としても機能する。
【００２９】
図６は、熱風による加熱調理の加熱条件データの一例を示している。電子レンジ１の内部メモリ１９およびメモリカード１５の不揮発性メモリ４４内には、図６（ａ）、（ｂ）に示すデータ構造で加熱条件データが記憶されている。本実施例においては、加熱条件データは、メモリ番号［０］〜［２９］までの３０個まで設定可能となっている（図６ではメモリ番号［１］、［２］、［５］の場合のみ示す）。これら各メモリ番号が加熱する食品の種類に対応している。そして、各メモリ番号について、ステップ１〜３の場合における加熱時間および加熱出力レベルを示すデータが、分量＝１倍、分量＝２倍および分量＝３倍に分けて記憶されるようになっている。なお、ステップ１しか必要でない場合はステップ２および３の加熱時間は０となり、ステップ２までしか必要でない場合はステップ３の加熱時間は０となる。
【００３０】
電子レンジ１は、使用者が所望するメモリ番号に対応する数字キー７を操作することでそのメモリ番号が選択され、内部メモリ１９内の所望のメモリ番号に記憶された加熱条件データに基づいて自動加熱調理が開始されるようになっている。なお、メモリ番号［１０］〜［１９］の場合は、メニュー切換キー８を１回操作した後、数字キー７を操作することにより選択可能となっており、また、メモリ番号［２０］〜［２９］の場合は、メニュー切換キー８を２回操作した後、数字キー７を操作することにより選択可能となっている。
【００３１】
次に、上記構成の作用、特に熱風による加熱調理に関する諸動作について説明する。
図７〜図１３は、使用者による操作キー群５の操作手順とこれに応じた表示器６の表示状態を示している。この表示器６の表示は、制御装置１８の制御のもとに行われる。
【００３２】
（１）手動設定による加熱調理
図７は、メモリ機能を使用せずに使用者が手動で加熱条件を設定して加熱調理を行う場合を示している。電子レンジ１に電源が供給されると、表示器６には“０”と表示される（図７（ａ））。ここで、手動キー１０が操作されると、表示器６には“出力”、“熱風”、“時間”と表示されるとともに、“出力”表示の下方に“１０”と表示される（図７（ｂ））。なお、この“１０”とは、出力レベルの初期設定値である。
【００３３】
このとき、特に“時間”の表示が点滅され、ステップ１の熱風加熱時間の設定要求が行われる。この状態で、数字キー７の例えば［１］キー、［３］キーおよび［０］キーが同順序で操作されると、“時間”表示の下方には“１：３０”と表示され、ステップ１の熱風加熱時間が１分３０秒に設定されたことが示される（図７（ｃ））。そして、手動キー１０が操作されると、“出力”表示が点滅され、ステップ１の熱風加熱出力レベルの設定要求が行われる（図７（ｄ））。ここでは、出力レベルを初期設定値である“１０”とするため、数字キー７の操作は行わない。
【００３４】
続いて、手動キー１０が操作されると、表示器６の左下部に“ステップ２”と表示されるとともに“時間”の表示が点滅され、ステップ２の熱風加熱時間の設定要求が行われる（図７（ｅ））。この状態で、数字キー７の例えば［３］キーおよび［０］キーが同順序で操作されると、“時間”表示の下方に“３０”と表示され、ステップ２の熱風加熱時間が３０秒に設定されたことが示される（図７（ｅ））。
【００３５】
そして、手動キー１０が操作されると、“出力”表示が点滅され、ステップ２の熱風加熱出力レベルの設定要求が行われる。この状態で、数字キー７の例えば［１］キーが操作されると、“出力”の下方の表示が“１０”から“１”に切り替わり、ステップ２の熱風加熱出力レベルが“１”に設定されたことが示される（図７（ｆ））。
【００３６】
このようにして設定された加熱条件は、マイクロコンピュータ４１から内部メモリ１９に書き込まれ記憶される。そして、使用者によりスタートキー１３が操作されると、設定された加熱条件に基づいて、熱風生成装置２５による熱風加熱が実行されるとともに、表示器６の上部には“出力”、“熱風”、“時間”と表示され、下部には“ステップ１”、“１０”、“２：００”と表示され、ステップ１における出力レベルおよび合計加熱時間が示される（図７（ｇ））。
【００３７】
スタートキー１３の操作から１分３０秒が経過してステップ１の加熱が終了すると、表示器６の表示が、ステップ２における加熱条件を示すものに切り替わる（図７（ｈ））。その後、さらに３０秒が経過（スタートキー１３の操作から２分経過）すると、熱風加熱が停止され、表示器６に“０”と表示され（図７（ｉ））、加熱調理が終了する。
【００３８】
（２）メモリ設定（例えばメモリ番号［５］に加熱条件を設定記憶させる場合）
図８は、メモリ番号毎に加熱条件を記憶させる状態を示している。なお、ここでは、予め内部メモリ１９に図６（ａ）に示す加熱調理の条件データが記憶されているものとしている。まず、表示器６に“０”が表示された待機中の状態（図７（ａ）の状態）において、メモリキー９が操作されると、表示器６には“メモリー”、“ｏ１”と表示され、使用者に対して上記設定を行うためのモードに移行したことが報知される（図８（ａ））。
【００３９】
そして、使用者が、加熱条件を対応付けたいメモリ番号に相当する数字キー７、例えば［５］キーを操作する。すると、“メモリー”表示の上方に“メニュー”と表示され、“ｏ１”表示に替えて“０５”が表示されるとともに、この時点において、メモリ番号［５］に記憶されている加熱条件の全体加熱時間が表示器６に表示される。
【００４０】
この場合、全体の加熱時間は２分３０秒（ステップ１：１２０秒、ステップ２：３０秒）であるので、“時間”表示の下方に“２：３０”と表示される（図８（ｂ））。その後、前述した図７（ａ）〜（ｆ）と同様の操作手順を実行し、例えば、ステップ１における加熱時間を１２０秒から９０秒に変更すると、メモリ番号［５］の加熱条件データは、図６（ｂ）に示す加熱条件に変更され、内部メモリ１９に記憶される。
【００４１】
（３）メモリ設定の確認（例えばメモリ番号［５］の加熱条件を確認する場合）
図９は、メモリ番号毎の加熱条件の設定内容を確認する状態を示している。なお、ここでは、予め内部メモリ１９に図６（ｂ）に示す加熱条件データが記憶されているものとしている。まず、表示器６に“メモリー”、“ｏ１”と表示された状態（図８（ａ）および図９（ａ）の状態）においてメモリキー９が操作されると、“ｏ１”表示に替えて“ｃ２”と表示され、使用者に対して上記確認を行うためのモードに移行したことが報知される（図９（ｂ））。
【００４２】
そして、使用者が、加熱条件の設定内容を確認したいメモリ番号に相当する数字キー７、例えば［５］キーを操作する。すると、“メモリー”表示の上方に“メニュー”と表示され、“ｃ２”表示に替えて“０５”と表示されるとともに、この時点において、メモリ番号［５］に記憶されている加熱条件の全体加熱時間が表示器６に表示される。この場合、全体の加熱時間は２分（ステップ１：９０秒、ステップ２：３０秒）であるので、“時間”表示の下方に“２：００”と表示される（図９（ｃ））。
【００４３】
その後、メモリキー９を操作するたびに、各ステップにおける出力レベルや加熱時間などの加熱条件データが順次表示されていく（図９（ｄ）〜（ｆ））。なお、ステップ１のみの加熱条件データの場合には、ステップ２以降の加熱条件データは表示されないようになっている。そして、取消キー１４を操作すると、加熱条件の設定内容を確認するモードから抜け、待機中の表示（図７（ａ））になる。
【００４４】
（４）メモリ設定による加熱調理（例えばメモリ番号［５］の加熱条件により加熱調理を行う場合）
図１０は、メモリ機能を使用した自動加熱調理（自動調理に相当）を行う場合を示している。なお、ここでは、予め内部メモリ１９に図６（ｂ）に示す加熱条件データが記憶されているものとしている。表示器６に“０”が表示された待機中の状態（図７（ａ）の状態）においては、数字キー７を操作するだけで、その数字キー７に対応するメモリ番号の加熱条件データに基づいて加熱調理が実行されるようになっている。
【００４５】
例えば、上記待機中の状態において、数字キー７の［５］キーが操作されると、メモリ番号［５］の加熱条件に基づいて、熱風生成装置２５による熱風加熱が実行されるとともに、表示器６の上部には“熱風”、“時間”と表示され、下部には“ステップ１”、“０５”、“２：００”と表示され、メモリ番号［５］に記憶された加熱条件の合計加熱時間が示される（図１０（ａ））。
【００４６】
数字キー７の［５］キーの操作から１分３０秒が経過してステップ１の加熱が終了すると、表示器６の表示が、ステップ２における加熱条件を示すものに切り替わる（図１０（ｂ））。その後、さらに３０秒が経過（［５］キーの操作から２分経過）すると、熱風加熱が停止され、表示器６に“０”と表示され（図１０（ｃ））、加熱調理が終了する。
【００４７】
（５）分量設定を伴う加熱調理（例えばメモリ番号［５］における３倍分量の加熱調理の場合）
図１１は、分量設定を行った後、加熱調理を行う場合を示している。なお、ここでは、予め内部メモリ１９に図６（ｂ）に示す加熱条件データが記憶されているものとしている。
【００４８】
表示器６に“０”が表示された待機中の状態（図７（ａ）の状態）において、２倍キー１１または３倍キー１２が操作されると、表示器６の上部に“倍”と表示されるとともに、その下方に“２”または“３”と表示され、分量が２倍または３倍に設定されたことが示される（図１１（ａ）に２倍の分量に設定する場合を示す）。この状態において、再び２倍キー１１または３倍キー１２が操作されると、２倍または３倍に設定された分量がキャンセルされ（分量が１倍となり）、待機中の表示に戻る（図１１（ｂ））。
【００４９】
さて、上記操作を行い、分量が３倍に設定（図１１（ｃ））された後、例えば数字キー７の［５］キーが操作されると、メモリ番号［５］における３倍分量の加熱条件に基づいて、熱風生成装置２５による熱風加熱が実行されるとともに、表示器６の上部には“熱風”、“時間”と表示され、下部には“ステップ１”、“０５”、“５：００”と表示され、メモリ番号［５］における３倍分量として記憶された加熱条件の合計加熱時間が示される（図１１（ｄ））。
【００５０】
数字キー７の［５］キーの操作から４分３０秒が経過してステップ１の加熱が終了すると、表示器６の表示が、ステップ２における加熱条件を示すものに切り替わる（図１１（ｅ））。その後、さらに３０秒が経過（［５］キーの操作から５分経過）すると、熱風加熱が停止され、表示器６に“０”と表示され（図１１（ｆ））、加熱調理が終了する。
【００５１】
（６）メモリカードから内部メモリへのデータコピー
図１２は、メモリカード１５の不揮発性メモリ４４に記憶された加熱条件データを、電子レンジ１の内部メモリ１９へコピーする場合を示している。まず、表示器６に“０”が表示された待機中の状態（図１２（ａ））において、メモリカード１５がカードスロット１６に挿入されると、制御装置１８は前述した装着状態検出手段の機能により、カード装着状態を検出する。すると、表示器６に“メモリー”、“ＣＡ”、“１２３”と表示され、このうちの“メモリー”および“ＣＡ”表示により、メモリカード１５が装着されたことが示される（図１２（ｂ））。
【００５２】
また、“１２３”という表示は、挿入されたメモリカード１５に記憶されている加熱条件データを識別するための識別番号であり、データのバージョンを示している。この識別番号は、本実施例では例えば３桁の数字により表される。また、図示しないが、加熱動作中にメモリカード１５が挿入された場合には、実行中の加熱動作を最後まで行い、その後、図１２（ｂ）に示す状態に移行するようになっている。なお、本実施例においては、“メモリー”および“ＣＡ”表示が装着識別表示に相当し、“１２３”などの識別番号がデータ識別表示に相当する。
【００５３】
図１２（ｂ）に示す状態に移行すると、制御装置１８は、手動キー１０、２倍キー１１、３倍キー１２、スタートキー１３が操作された場合であっても、その操作を受け付けない状態となる。また、制御装置１８は、数字キー７が操作された場合、通常の時間設定キーやメモリ番号キーとしてではなく、後述する識別番号入力キーとして受け付ける状態となるため、この状態で加熱動作が開始されることはない。すなわち、加熱手段による加熱が禁止された状態となっている。
【００５４】
このような状態において、数字キー７の例えば［１］キー、［２］キーおよび［３］キーが同順序で操作される、つまり表示器６に表示された識別番号と同じ３桁の数字が入力されると、“１２３”表示が点滅する（図１２（ｃ））。このように、識別番号は、図１２（ｂ）の状態から図１２（ｃ）の状態に移行するための操作手順（操作内容に相当）も示すようになっている。図１２（ｃ）の状態でメモリキー９が操作されると、メモリカード１５に記憶されている加熱条件データが内部メモリ１９に書き込まれる。具体的には、マイクロコンピュータ４１が、メモリカード１５の不揮発性メモリ４４の加熱条件データを読み出して、一旦ＲＡＭに格納した後、その加熱条件データを内部メモリ１９に書き込む。
【００５５】
このとき、表示器６には“１２３”表示に替えて、データコピーの進行状況が表示される。例えばコピーが３０％程度完了しているときには“３０Ｐ”と表示される（図１２（ｄ））。全てのデータのコピーが完了すると、“１００Ｐ”と表示され、使用者に対し、メモリカード１５から内部メモリ１９へのデータコピーが完了したことが報知される（図１２（ｅ））。その後、メモリカード１５がカードスロット１６から抜き取られると、制御装置１８は前述した装着状態検出手段の機能により、カード非装着状態を検出し、表示器６に“０”と表示され、待機中の状態に戻る（図１２（ｆ））。
【００５６】
（７）内部メモリからメモリカードへのデータコピー
図１３は、内部メモリ１９に記憶された加熱条件データを、メモリカード１５の不揮発性メモリ４４へコピーする場合を示している。まず、表示器６に“０”が表示された待機中の状態（図１３（ａ））において、メモリカード１５がカードスロット１６に挿入されると、制御装置１８は前述した装着状態検出手段の機能により、カード装着状態を検出する。すると、表示器６に“メモリー”、“ＣＡ”、“１２３”と表示され、メモリカード１５が装着されたことが示される（図１３（ｂ））。なお、このときも、前述したメモリカード１５から内部メモリ１９へのデータコピーの場合と同様に、加熱手段による加熱が禁止された状態となっている。
【００５７】
上記“１２３”という表示は、挿入されたメモリカード１５に、この時点において記憶されている加熱条件データのバージョンを示すための識別番号である。この状態でメモリキー９が長押し操作（本実施例では３秒間の押圧操作）されると、“１２３”表示に替えて“−−−”と表示され、使用者に対して内部メモリ１９からメモリカード１５へデータをコピーするためのモードに移行したことが報知される（図１３（ｃ））。
【００５８】
この状態において、使用者は、メモリカード１５にコピーするデータのバージョンを示すための識別番号としての３桁の任意の数字を入力する。この識別番号は、予めメモリカード１５に記憶されている加熱条件データの識別番号“１２３”と異なる３桁の数字とする。例えば、識別番号を“１２４”に設定する場合、使用者は、数字キー７の［１］キー、［２］キーおよび［４］キーを同順序で操作する。すると、表示器６に“１２４”と表示される（図１３（ｄ））。
【００５９】
この状態でメモリキー９が操作されると、内部メモリ１９に記憶されている加熱条件データがメモリカード１５に書き込まれる。具体的には、マイクロコンピュータ４１が、内部メモリ１９の加熱条件データを読み出して、一旦ＲＡＭに格納した後、その加熱条件データを、設定した識別番号“１２４”とともにメモリカード２０に書き込む。これにより、メモリカード２０内の加熱条件データは識別番号“１２４”のものに書き換えられる。
【００６０】
このとき、表示器６には“１２４”表示に替えて、データコピーの進行状況が表示される（図１３（ｅ））。全てのデータのコピーが完了すると、“１００Ｐ”と表示され、使用者に対し、内部メモリ１９からメモリカード１５へのデータコピーが完了したことが報知される（図１３（ｆ））。その後、メモリカード１５がカードスロット１６から抜き取られると、制御装置１８は前述した装着状態検出手段の機能により、カード非装着状態を検出し、表示器６は“０”と表示され、待機中の状態に戻る（図１３（ｇ））。
【００６１】
上記説明により、加熱調理に係る制御装置１８の制御については明らかであるが、以下、特にメモリ機能を利用した加熱調理に係る制御装置１８の制御内容について、図１４に示すフローチャートを参照して説明する。
電子レンジ１の扉３が開放されると、制御装置１８を含む電子レンジ１の各装置に電源が供給される（電源オン）。すると、制御装置１８は、メモリカード１５の装着状態を確認し（ステップＳ１）、カード非装着状態の場合（ステップＳ１で「ＮＯ」）には、表示器６に“０”を表示させて待機中であることを示す（ステップＳ２）。
【００６２】
その後、何の操作も行われない状態が、例えば３分以上継続した場合（ステップＳ３およびＳ７で「ＮＯ」、ステップＳ９で「ＹＥＳ」）には電源をオフし（ステップＳ１０）、処理を終了する（エンド）。ただし、上記状態が３分以上継続する前に、何らかのキー操作があった場合（ステップＳ９で「ＮＯ」）にはステップＳ１へ戻る。
【００６３】
ステップＳ３において、加熱開始の操作（数字キー７の操作、またはメニュー切換キー８と数字キー７の操作）があった場合（「ＹＥＳ」）、その操作に対応するメモリ番号に記憶された加熱条件に基づいて加熱調理が実行される（ステップＳ４およびＳ５）。その後、加熱調理が終了すると（ステップＳ６）、ステップＳ１へ戻る。一方、ステップＳ３で加熱開始の操作がなく（「ＮＯ」）、ステップＳ７でメモリ記憶操作があった場合（「ＹＥＳ」）には、入力された加熱条件を指定されたメモリ番号のデータとして内部メモリ１９へ書き込み（ステップＳ８）、ステップＳ１へ戻る。
【００６４】
さて、ステップＳ１で、カード装着状態であると判断した場合（「ＹＥＳ」）には、表示器６に装着識別表示およびデータ識別表示を表示させる（ステップＳ１１）。メモリキー９が長押し操作されなかった場合（ステップＳ１２で「ＮＯ」）には、その後の操作に応じてメモリカード１５から内部メモリ１９へのデータコピーを実行する（ステップＳ１３〜Ｓ１６）。メモリキー９の長押し操作があった場合（ステップＳ１２で「ＹＥＳ」）には、内部メモリ１９からメモリカード１５へのデータコピーを行うためのモードに移行し、その後の操作に応じてデータコピーを実行する（ステップＳ１７〜Ｓ１９）。その後、これらのデータコピー動作が終了すると、ステップＳ１へ戻る。
【００６５】
以上説明した本実施例によれば、次のような効果が得られる。
制御装置１８は、操作パネル部４の操作キー群５の操作に応じて、内部メモリ１９に記憶された加熱調理の加熱条件データに基づく加熱調理、およびメモリカード１５から内部メモリ１９へのデータコピーを実行するように構成した。これにより、複数の電子レンジ１において新しい加熱条件データによる加熱調理を実行可能にする場合、その新しいデータを記憶させた１つのメモリカード１５を準備するだけで対応可能となる。また、操作キー群５の操作によりデータコピーを実行するので、使用者が希望するタイミングで内部メモリ１９のデータを書き換えることができる。
【００６６】
メモリカード１５の装着状態を検出し、この状態に応じて操作パネル部４における操作キー群５の機能を切り替えるように構成した。具体的には、メモリカード１５が装着されたカード装着状態においては、制御装置１８は、手動キー１０、２倍キー１１、３倍キー１２、スタートキー１３が操作されてもその操作を受け付けず、数字キー７が操作された場合には、時間設定キーやメモリ番号キーとしてではなく、識別番号入力キーとして受け付けるように構成した。
【００６７】
これにより、カード装着状態では、制御装置１８はデータコピーに関する操作しか受け付けないので、使用者がデータコピーに係る操作を誤る可能性が低減される。また、カード装着状態では、上記のように加熱を実行するための各操作キーの操作を受け付けない状態、つまり加熱動作が禁止された状態となっているので、使用者が誤って内部メモリ１９に記憶された古い加熱条件データによる加熱調理を実行してしまうことを防止できる。
【００６８】
制御装置１８は、加熱動作中にメモリカード１５が装着されたことを検出した場合には、加熱動作を最後まで行った後データコピー動作を行うので、使用者が加熱動作中にメモリカード１５を挿入してしまった場合でも実行中の加熱調理を最後まで行い、加熱調理が失敗するのを防止できる。
【００６９】
メモリカード１５が装着されたことを検出すると、制御装置１８は表示器６に“メモリー”、“ＣＡ”と表示させるように構成した。これにより、メモリカード１５が装着されたことが示されるので、使用者は、メモリカード１５が挿入中であるか否かを容易に判断できる。また、このとき、制御装置１８は表示器６に挿入されたメモリカード１５に記憶されている加熱条件データを識別するための識別番号、例えば３桁の数字も表示させるように構成した。これにより、使用者は、メモリカード１５内の加熱条件データをコピーする際に、そのデータが希望するものであるかどうかを容易に判断できる。
【００７０】
さらに、上記した３桁の数字からなる識別番号が表示器６に表示された状態において、その３桁の数字に対応する数字キー７が同順序で操作された後、メモリキー９が操作されると、制御装置１８がデータのコピーを開始するので、確実に希望の加熱条件データを内部メモリ１９にコピーすることができ、不用意に誤ったデータをコピーしてしまうことを防止できる。
【００７１】
内部メモリ１９に記憶された加熱条件データについて、メモリ番号ごとにその加熱条件データを変更して記憶させる（図８参照）ことを可能とした。これにより、メモリカード１５の加熱条件データを内部メモリ１９にコピーした後、一部の加熱条件を変更する必要がある場合にも簡単に書き換えることができ、そのために一部データを変更したメモリカード１５を準備する必要がなくなる。
【００７２】
内部メモリ１９に記憶された加熱条件データをメモリカード１５へコピーする（図１３参照）ことを可能とした。これにより、内部メモリ１９に必要とする加熱条件データを手動で記憶させておけば、データ書き込みツールなどを使用することなく、内部メモリ１９に記憶されたデータを元にマスタとなるメモリカード１５を作成することができる。
【００７３】
なお、本発明は、上記し且つ図面に記載した実施例にのみ限定されるものではなく、次のような変形又は拡張が可能である。
上記実施例では、熱風生成装置２５による熱風加熱調理に係る加熱条件データについての説明を行ったが、マグネトロン２９によるマイクロ波加熱調理に関しても、熱風加熱調理と同様の作用および効果を得ることができる。
データ識別表示としての識別番号は、３桁の数字でなくともよく、例えば４桁以上の数字であってもよいし、２桁以下の数字であってもよい。また、数字でなくともよく、例えばアルファベットやこれら組み合わせたものであってもよい。
データコピーを実行する際、識別番号である３桁の数字に対応する数字キー７が同順序で操作されるという手順（図１４のステップＳ１３）は、必要に応じて設ければよい。
カード装着状態において、“メモリー”、“ＣＡ”といった装着識別表示、および“１２３”といったデータ識別表示を表示器６に表示させなくともよい。
【００７４】
加熱調理実行中にメモリカード１５がカードスロット１６に挿入された場合、その加熱調理を直ちに停止させるように構成してもよい。また、メモリカード１５がカードスロット１６に挿入された場合であっても、加熱調理を実行可能に構成してもよい。
マイクロコンピュータ４１により、内部メモリ１９および不揮発性メモリ４４内のデータの読み書きを制御する方法としては、Ｉ２Ｃシリアル通信に限られず、その他の通信を用いてもよい。内部メモリ１９および不揮発性メモリ４４に記憶する加熱条件データは３０個に限られず、各メモリの記憶容量に応じて適宜変更可能である。
メモリカード２０の不揮発性メモリ４４内に複数のバージョンの加熱条件データを記憶可能としてもよい。この場合、メモリーカード２０が装着されると、各バージョンを表す識別番号を表示器６に順次表示させるように構成するとよい。
本発明は、電子レンジに限られず、その他の加熱調理器にも適用可能である。
【図面の簡単な説明】
【００７５】
【図１】本発明の一実施例を示す加熱調理器の正面図
【図２】加熱調理器の縦断正面図
【図３】加熱調理器の縦断側面図
【図４】加熱調理器の電気的構成を示す機能ブロック図
【図５】制御装置およびメモリカードの電気的構成図
【図６】加熱調理条件データの構造を示す図
【図７】手動設定による加熱調理を実行する際の操作手順と表示状態を示す図
【図８】メモリ設定する際の図７相当図
【図９】メモリ設定を確認する際の図７相当図
【図１０】メモリ設定による加熱調理を実行する際の図７相当図
【図１１】分量設定を伴う加熱調理を実行する際の図７相当図
【図１２】メモリカードから内部メモリへデータをコピーする際の図７相当図
【図１３】内部メモリからメモリカードへデータをコピーする際の図７相当図
【図１４】メモリ機能を利用した加熱調理に係る制御内容を示すフローチャート
【符号の説明】
【００７６】
図面中、１は電子レンジ（加熱調理器）、４は操作パネル部、５は操作キー群（複数の操作キー）、６は表示器（表示手段）、１５はメモリカード（外部記憶媒体）、１６はカードスロット（外部記憶媒体装着手段）、１８は制御装置（制御手段、装着状態検出手段、コピー手段）、１９は内部メモリ（内部記憶手段）、２０は加熱室、２５は熱風生成装置（加熱手段）、２９はマグネトロン（加熱手段）、３３は調理品（被加熱物）を示す。
【図１】
2008180415.tif 000003
【図２】
2008180415.tif 000004
【図３】
2008180415.tif 000005
【図４】
2008180415.tif 000006
【図５】
2008180415.tif 000007
【図６】
2008180415.tif 000008
【図７】
2008180415.tif 000009
【図８】
2008180415.tif 000010
【図９】
2008180415.tif 000011
【図１０】
2008180415.tif 000012
【図１１】
2008180415.tif 000013
【図１２】
2008180415.tif 000014
【図１３】
2008180415.tif 000015
【図１４】
2008180415.tif 000016